(57)【要約】【課題】ＡＦ補助光を照射する場合に、ＡＦ補助光のパターンが撮影により取得した画像に現れないようにする。【解決手段】デジタルカメラ１は、被写体を撮影することにより画像を取得する撮像系１０およびＡＦ処理部２９を備える。ＡＦ処理時に補助光照射部３８が被写体に向けて所定パターンを有する補助光を照射する。顔検出部３７が撮像系１０が取得した画像から人物の顔を検出すると、変更指示部３９が補助光の照射の態様を変更する指示を出力する。【選択図】図１
2009069441.tif 000002
【特許請求の範囲】
【請求項１】
被写体を撮影することにより画像を取得する撮像手段と、
撮影時に前記被写体の焦点検出を行う焦点検出手段と、
前記焦点検出を補助するための所定のパターンを有する補助光を前記被写体に照射する補助光照射手段と、
前記画像から人物の顔を検出する顔検出手段と、
前記顔が検出された場合に、前記補助光の照射の態様を変更するための指示を出力する変更指示手段とを備えたことを特徴とする撮影装置。
【請求項２】
他の撮影装置が自身から所定距離以内に存在するか否かを判定する判定手段をさらに備え、
前記変更指示手段は、前記顔が検出され、かつ前記他の撮影装置が前記所定距離以内に存在する場合に、前記補助光の照射の態様を変更するための指示を出力する手段であることを特徴とする請求項１記載の撮影装置。
【請求項３】
前記変更指示手段は、前記指示を前記補助光照射手段に出力する手段であり、
前記補助光照射手段は、前記指示を受けて前記補助光の照射の態様を変更する手段であることを特徴とする請求項１または２記載の撮影装置。
【請求項４】
前記補助光照射手段は、前記所定のパターンを除去する、前記補助光の色を変更するおよび前記補助光を消灯するのいずれかにより、前記補助光の照射の態様を変更する手段であることを特徴とする請求項３記載の撮影装置。
【請求項５】
被写体を撮影することにより画像を取得する撮像手段と、
撮影時に前記被写体の焦点検出を行う焦点検出手段と、
前記焦点検出を補助するための所定のパターンを有する補助光を前記被写体に照射する補助光照射手段とを備えた撮影装置の制御方法であって、
前記画像から人物の顔を検出し、
前記顔が検出された場合に、前記補助光の照射の態様を変更するための指示を出力することを特徴とする撮影装置の制御方法。
【請求項６】
被写体を撮影することにより画像を取得する撮像手段と、
撮影時に前記被写体の焦点検出を行う焦点検出手段と、
前記焦点検出を補助するための所定のパターンを有する補助光を前記被写体に照射する補助光照射手段とを備えた撮影装置の制御方法をコンピュータに実行させるためのプログラムであって、
前記画像から人物の顔を検出する手順と、
前記顔が検出された場合に、前記補助光の照射の態様を変更するための指示を出力する手順とを有することを特徴とするプログラム。
【発明の詳細な説明】
【技術分野】
【０００１】
本発明は、補助光を照射して被写体の焦点検出を自動で行う撮影装置および撮影装置の制御方法並びに撮影装置の制御方法をコンピュータに実行させるためのプログラムに関するものである。
【背景技術】
【０００２】
従来より撮影の際にＡＦ処理により自動で焦点検出を行うカメラが提案されている。このようなカメラにおいて、被写体輝度が低い場合にはＡＦ処理を正確に行うことができないため、カメラにＬＥＤ等のＡＦ補助光源を設け、この補助光源からＡＦ補助光を被写体に向けて照射することが行われている。また、このようなＡＦ補助光の光量不足を補うために、フラッシュを併せて使用する手法が提案されている（特許文献１参照）。また、スリット等を用いて線状あるいは格子状のパターンのＡＦ補助光を照射することも行われている。
【０００３】
また、フラッシュを発光する際に、目等の人物の特徴部位を検出した場合、赤目とならないように赤目発光を行う手法が提案されている（特許文献２参照）。また、小さな子供を撮影する場合には、フラッシュを発光しないようにする手法も提案されている（特許文献３参照）。また、人物の認証を行う際に、カメラから被写体までの距離に応じて発光光の光量を制御する手法も提案されている（特許文献４参照）。
【特許文献１】特開２００１−２７７２４号公報
【特許文献２】特開２００４−３２０２８４号公報
【特許文献３】特開２００６−４１６７３号公報
【特許文献４】特開２００５−３２３１８０号公報
【発明の開示】
【発明が解決しようとする課題】
【０００４】
ところで、結婚式の写真等においては、多数の人物がカメラを用いて人物を撮影することが多い。このような状況での撮影は室内の比較的暗い撮影環境において行われるため、ＡＦ処理のためにＡＦ補助光が使用されることとなる。しかしながら、とくにＡＦ補助光がパターンを有する場合、あるカメラから発せられたＡＦ補助光が被写体である人物に照射されると、他のカメラが取得した画像に含まれる人物の顔に、ＡＦ補助光のパターンが現れてしまう。
【０００５】
本発明は上記事情に鑑みなされたものであり、ＡＦ補助光のパターンが撮影により取得した画像に現れないようにすることを目的とする。
【課題を解決するための手段】
【０００６】
本発明による撮影装置は、被写体を撮影することにより画像を取得する撮像手段と、
撮影時に前記被写体の焦点検出を行う焦点検出手段と、
前記焦点検出を補助するための所定のパターンを有する補助光を前記被写体に照射する補助光照射手段と、
前記画像から人物の顔を検出する顔検出手段と、
前記顔が検出された場合に、前記補助光の照射の態様を変更するための指示を出力する変更指示手段とを備えたことを特徴とするものである。
【０００７】
なお、本発明による撮影装置においては、他の撮影装置が自身から所定距離以内に存在するか否かを判定する判定手段をさらに備えるものとし、
前記変更指示手段を、前記顔が検出され、かつ前記他の撮影装置が前記所定距離以内に存在する場合に、前記補助光の照射の態様を変更するための指示を出力する手段としてもよい。
【０００８】
また、本発明による撮影装置においては、前記変更指示手段を、前記指示を前記補助光照射手段に出力する手段とし、
前記補助光照射手段を、前記指示を受けて前記補助光の照射の態様を変更する手段としてもよい。
【０００９】
この場合、前記補助光照射手段を、前記所定のパターンを除去する、前記補助光の色を変更するおよび前記補助光を消灯するのいずれかにより、前記補助光の照射の態様を変更する手段としてもよい。
【００１０】
本発明による撮影装置の制御方法は、被写体を撮影することにより画像を取得する撮像手段と、
撮影時に前記被写体の焦点検出を行う焦点検出手段と、
前記焦点検出を補助するための所定のパターンを有する補助光を前記被写体に照射する補助光照射手段とを備えた撮影装置の制御方法であって、
前記画像から人物の顔を検出し、
前記顔が検出された場合に、前記補助光の照射の態様を変更するための指示を出力することを特徴とするものである。
【００１１】
なお、本発明による撮影装置の制御方法をコンピュータに実行させるためのプログラムとして提供してもよい。
【発明の効果】
【００１２】
本発明によれば、画像から顔が検出された場合に、補助光の照射の態様を変更するための指示が出力される。このため、この指示に基づいて、撮影者が補助光の照射の態様を変更したり、補助光照射手段が自動で補助光の照射の態様を変更できることとなる。したがって、本発明による撮影装置から被写体に向けて照射される補助光が顔において目立つことがなくなり、その結果、他の撮影装置が撮影により取得する画像に含まれる人物の顔に、本発明による撮影装置が発光した補助光のパターンが現れてしまうことを防止することができる。
【００１３】
また、他の撮影装置が自身から所定距離以内に存在するか否かを判定し、他の撮影装置が存在する場合に補助光の照射の態様を変更するための指示を出力することにより、他の撮影装置が撮影により取得する画像に含まれる人物の顔に、本発明による撮影装置が発光した補助光のパターンが現れてしまうことを、より確実に防止することができる。
【発明を実施するための最良の形態】
【００１４】
以下、図面を参照して本発明の実施形態について説明する。図１は本発明の第１の実施形態による撮影装置を適用したデジタルカメラの内部構成を示す概略ブロック図である。図１に示すように第１の実施形態によるデジタルカメラ１は、レリーズボタン、十字キー、モードダイヤルおよび各種操作キー等を含む操作系２を有する。
【００１５】
撮像系１０としては、フォーカスレンズおよびズームレンズからなる撮影レンズ１２を有する。撮影レンズ１２を構成するフォーカスレンズおよびズームレンズは、レンズ駆動部１３によって光軸方向に移動可能である。
【００１６】
また、絞り１４は絞り駆動部１５によって駆動される。絞り駆動部１５は、ＡＥ処理部３０から出力される絞り値データに基づいて絞り径の調整を行う。
【００１７】
シャッタ１６はメカニカルシャッタであり、シャッタ駆動部１７によって駆動される。シャッタ駆動部１７は、レリーズボタンの押下により発生する信号と、ＡＥ処理部３０から出力されるシャッタスピードデータとに応じて、シャッタ１６の開閉の制御を行う。
【００１８】
シャッタ１６の後方には撮像素子であるＣＣＤ１８を有している。ＣＣＤ１８は、多数の受光素子を２次元的に配列した光電面を有しており、撮影レンズ１２等の光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ１８は、ＣＣＤ制御部１９から供給される垂直転送クロックおよび水平転送クロックに同期して、画素毎に蓄積された電荷を１ラインずつシリアルなアナログ撮影信号として出力する。各画素において電荷を蓄積する時間、すなわち、露光時間は、ＣＣＤ制御部１９から与えられる電子シャッタ駆動信号によって決定される。また、ＣＣＤ１８はＣＣＤ制御部１９により、あらかじめ定められた大きさのアナログ撮像信号が得られるようにゲインが調整されている。
【００１９】
ＣＣＤ１８から取り込まれたアナログ撮像信号は、アナログ信号処理部２０に入力される。アナログ信号処理部２０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２０】
タイミングジェネレータ２１は、タイミング信号を発生させるものであり、このタイミング信号をシャッタ駆動部１７、ＣＣＤ制御部１９、およびアナログ信号処理部２０に供給することにより、レリーズボタンの操作、シャッタ１６の開閉、ＣＣＤ１８の電荷の取込み、およびアナログ信号処理部２０の処理の同期をとっている。
【００２１】
また、デジタルカメラ１は撮影時において必要なときに発光されるフラッシュ２３を有する。
【００２２】
画像入力コントローラ２４は、アナログ信号処理部２０から入力されたＣＣＤ−ＲＡＷデータをフレームメモリ２６に書き込む。
【００２３】
フレームメモリ２６は、画像データに対して後述の各種処理を行う際に使用する作業用メモリであり、例えば、一定周期のバスクロック信号に同期してデータ転送を行うＳＤＲＡＭ(Synchronous Dynamic Random Access Memory)が使用される。
【００２４】
表示制御部２７は、フレームメモリ２６に格納された画像データをスルー画像としてモニタ２８に表示させたり、再生モード時に記録メディア３５に保存されている本画像をモニタ２８に表示させたりするためのものである。なお、スルー画像は、デジタルカメラ１が撮影モードにある間、所定時間間隔で撮像系１０により撮影される。
【００２５】
ＡＦ処理部２９およびＡＥ処理部３０は、プレ画像に基づいて撮影条件を決定する。このプレ画像とは、レリーズボタンが半押しされることによって発生する半押し信号を検出したＣＰＵ４５が撮像系１０にプレ撮影を実行させた結果、フレームメモリ２６に格納された画像データにより表される画像である。なお、プレ撮影は必要に応じて複数回行われる。
【００２６】
ＡＦ処理部２９は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００２７】
ＡＥ処理部３０は、プレ画像に基づいて被写体輝度を測定し、測定した被写体輝度に基づいて絞り値およびシャッタスピード等を決定し、絞り値データおよびシャッタスピードデータを露出設定値として決定する（ＡＥ処理）。
【００２８】
ＡＷＢ処理部３１は、撮影時のホワイトバランスを自動調整する（ＡＷＢ処理）。なお、ＡＷＢ処理部３１は、後述する本撮影前でも、本撮影後でもホワイトバランスの調整を行うことができる。
【００２９】
画像処理部３２は、本画像の各画素がＲＧＢそれぞれの値を有するように本画像の画像データを補間する補間処理、補間した画像データに対する階調補正、シャープネス補正および色補正等の画質補正処理、並びに輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ１８から取り込まれ、アナログ信号処理部２０および画像入力コントローラ２４経由でフレームメモリ２６に格納された画像データにより表される画像である。
【００３０】
圧縮／伸長処理部３３は、画像処理部３２によって処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。
【００３１】
メディア制御部３４は、不図示のメディアスロットルに着脱自在にセットされた記録メディア３５にアクセスして、画像ファイルの書き込みと読み込みの制御を行う。
【００３２】
内部メモリ３６は、デジタルカメラ１において設定される各種定数、各種情報およびＣＰＵ４５が実行するプログラム等を記憶する。
【００３３】
顔検出部３７は、プレ画像に人物の顔が含まれるか否かを判定し、顔が含まれると判定した場合に、プレ画像に含まれる顔領域をすべて検出する機能を有する。具体的には、顔検出部３７は、テンプレートマッチングによる手法や、顔の多数のサンプル画像を用いてマシンラーニング学習により得られた顔判別器を用いる手法等により、画像に顔が含まれるか否かを判定し、顔が含まれると判定した場合には、画像上における顔を囲む所定範囲の矩形領域を顔領域として検出し、顔領域の位置を表す情報を出力する。なお、顔検出部３７は、顔が含まれないと判定した場合には、その旨の情報を出力する。
【００３４】
補助光照射部３８は、ＡＦ処理部２９がＡＦ処理を行う際に、被写体に向けてＡＦ補助光を照射する。図２は補助光照射部３８の詳細な構成を示す図である。図２に示すように補助光照射部３８は、補助光源であるＬＥＤ４０と、スリットが形成されたパターン部材４１と、パターン部材４１を被写体に対して左右に駆動する駆動機構４２と、ＬＥＤ４０を点灯するための点灯制御部４３とを備える。
【００３５】
ＬＥＤ４０は、ＡＦ処理部２９がＡＦ処理を行う際に、撮影環境が所定の明るさにない場合にＣＰＵ４５が点灯の指示を点灯制御部４３に対して行うことにより点灯される。なお、撮影環境が所定の明るさにあるか否かの判定は、ＡＥ処理部３０が算出した被写体輝度が所定の明るさにあるか否かを判定することによりＣＰＵ４５が行う。
【００３６】
パターン部材４１には図３に示すように縦方向に３本のスリット４１Ａ，４１Ｂ，４１Ｃが形成されている。駆動機構４２はモータおよびギア等の公知の機構からなり、ＣＰＵ４５からの指示により、パターン部材４１を初期位置から被写体に対して左右いずれかの方向（本実施形態においては図２における左方向）に移動する。なお、スリット４１Ａ，４１Ｂ，４１Ｃを透過したＡＦ補助光は、図４に示すような直線状のパターンにより被写体に照射されることとなる。
【００３７】
変更指示部３９は、顔検出部３７がプレ画像から顔を検出した場合、ＡＦ補助光の照射の態様を変更する指示を補助光照射部３８に対して行う。具体的には、図５に示すように、パターン部材４１をＡＦ補助光の光路上から退避させるよう、補助光照射部３８の駆動機構４２に対して指示を行う。これにより、プレ画像から顔が検出された場合には、ＬＥＤ４０から発せられたＡＦ補助光は、パターン部材４１を透過することなく被写体に照射されるため、被写体にはＡＦ補助光のパターンが現れることがなくなる。
【００３８】
ＣＰＵ４５は、操作系２およびＡＦ処理部２９等の各種処理部からの信号に応じてデジタルカメラ１の本体各部を制御する。とくに、ＡＦ処理の際に撮影環境が所定の明るさにない場合、ＬＥＤ４０を点灯するよう点灯制御部４３に対して指示を行う。また、プレ画像から顔を検出する指示を顔検出部３７に、顔が検出された場合に必要な処理を行う指示を変更指示部３９に対して行う。
【００３９】
データバス４６は、各種処理部、フレームメモリ２６およびＣＰＵ４５等に接続されており、画像データおよび各種情報のやり取りを行う。
【００４０】
次いで、第１の実施形態において行われる処理について説明する。図６は第１の実施形態において行われる処理を示すフローチャートである。なお、第１の実施形態においては、補助光照射部３８のパターン部材４１は、ＬＥＤ４０から発せられるＡＦ補助光の光路上の初期位置にあるものとする。
【００４１】
ユーザがレリーズボタンを半押しすることによりＣＰＵ４５が処理を開始し、ＣＰＵ４５からの指示により撮像系１０がプレ撮影を行うことによりプレ画像を取得し（ステップＳＴ１）、ＡＥ処理部３０が被写体輝度を算出する（ステップＳＴ２）。そしてＣＰＵ４５が被写体輝度に基づいて、撮影環境が所定の明るさにあるか否かを判定する（ステップＳＴ３）。ステップＳＴ３が肯定されると後述するステップＳＴ７の処理に進む。
【００４２】
ステップＳＴ３が否定されると、顔検出部３７がプレ画像に顔が含まれるか否かを判定し（ステップＳＴ４）、ステップＳＴ４が否定されると、ＣＰＵ４５からの指示により点灯制御部４３がＬＥＤ４０を点灯する（ステップＳＴ５）。これにより、パターンを有するＡＦ補助光が被写体に向けて照射される。
【００４３】
一方、ステップＳＴ４が肯定されると、変更指示部３９がＡＦ補助光の照射の態様を変更する指示を補助光照射部３８に対して行う（ステップＳＴ６）。これにより、図５に示すように、パターン部材４１がＡＦ補助光の光路上から退避される。そして、ステップＳＴ５に進み、ＣＰＵ４５からの指示により点灯制御部４３がＬＥＤ４０を点灯する。これにより、ＡＦ補助光のパターンが被写体である人物の顔に現れることがなくなる。
【００４４】
続いて、ＡＦ処理部２９がＡＦ処理を行い（ステップＳＴ７）、さらにＣＰＵ４５がレリーズボタンが全押しされたか否かの監視を開始する（ステップＳＴ８）。ステップＳＴ８が肯定されると本撮影を行い（ステップＳＴ９）、撮影により取得された画像を記録メディア３５に記録し（ステップＳＴ１０）、処理を終了する。なお、ＡＦ処理が終了するとＡＦ補助光は消灯される。
【００４５】
このように、第１の実施形態においては、プレ画像から顔が検出された場合に、ＡＦ補助光の照射の態様を変更するようにしたため、本実施形態によるデジタルカメラ１から発光されるＡＦ補助光のパターンが被写体である人物の顔に現れることがなくなる。したがって、他のカメラが撮影により取得する画像に含まれる人物の顔に、本実施形態によるデジタルカメラ１が発光したＡＦ補助光のパターンが現れてしまうことを防止することができる。
【００４６】
次いで、本発明の第２の実施形態について説明する。図７は本発明の第２の実施形態による撮影装置を適用したデジタルカメラの内部構成を示す概略ブロック図である。なお、第２の実施形態において第１の実施形態と同一の構成については同一の参照番号を付与し、ここでは詳細な説明は省略する。第２の実施形態によるデジタルカメラ１Ａは、ＩＣタグ５０、タグリーダ５１および交信判定部５２を備えた点が第１の実施形態と異なる。
【００４７】
ＩＣタグ５０は、無線通信が可能な小型の非接触型のメモリタグであり、デジタルカメラ１Ａを特定するＩＤ情報が記憶されている。一方、タグリーダ５１は、デジタルカメラ１Ａの電源がオンとされることにより、常時所定周波数の電波を発信する。そして、タグリーダ５１が発する電波を他のカメラのＩＣタグ５０が受信するとその内部に電流が流れ、他のカメラのＩＤ情報をタグリーダ５１に発信する。タグリーダ５１は他のカメラのＩＣタグ５０が発信したＩＤ情報を受信する。これにより、複数のカメラ間においてＩＤ情報の交信が行われる。
【００４８】
ここで、タグリーダ５１が発する電波は、電波の出力が一定であれば、その周波数が大きくなるほど通信距離が長くなる。このため、タグリーダ５１が発する電波の周波数は、後述するようにＡＦ補助光の点灯の態様を変更したいデジタルカメラ間の距離を決定し、決定した距離に応じたものとなるように設定する。これにより、複数のカメラが決定した距離（所定距離とする）以内にある場合には、複数のカメラ間においてＩＤ情報の交信が行われることとなる。
【００４９】
交信判定部５２は、デジタルカメラ１Ａが他のカメラとＩＤ情報の交信を行っているか否かを判定することにより、デジタルカメラ１Ａから所定距離以内に他のカメラが存在するか否かを判定する。
【００５０】
次いで、第２の実施形態において行われる処理について説明する。図８は第２の実施形態において行われる処理を示すフローチャートである。なお、第２の実施形態においては、補助光照射部３８のパターン部材４１は、ＬＥＤ４０から発せられるＡＦ補助光の光路上の初期位置にあるものとする。なお、デジタルカメラ１Ａの電源はオンとされており、タグリーダ５１からは電波が発信されているものとする。
【００５１】
ユーザがレリーズボタンを半押しすることによりＣＰＵ４５が処理を開始し、ＣＰＵ４５からの指示により撮像系１０がプレ撮影を行うことによりプレ画像を取得し（ステップＳＴ２１）、ＡＥ処理部３０が被写体輝度を算出する（ステップＳＴ２２）。そしてＣＰＵ４５が被写体輝度に基づいて、撮影環境が所定の明るさにあるか否かを判定する（ステップＳＴ２３）。ステップＳＴ２３が肯定されると後述するステップＳＴ２８の処理に進む。
【００５２】
ステップＳＴ２３が否定されると、交信判定部５２が、デジタルカメラ１Ａが他のカメラとＩＤ情報の交信を行っているか否かを判定することにより、デジタルカメラ１Ａから所定距離以内に他のカメラが存在するか否かを判定する（ステップＳＴ２４）。ステップＳＴ２４が否定されると、デジタルカメラ１Ａから所定距離以内には他のカメラが存在しないこととなるため、ＣＰＵ４５からの指示により点灯制御部４３がＬＥＤ４０を点灯する（ステップＳＴ２５）。これにより、パターンを有するＡＦ補助光が被写体に向けて照射される。
【００５３】
ステップＳＴ２４が肯定されると、さらに顔検出部３７がプレ画像に顔が含まれるか否かを判定する（ステップＳＴ２６）、ステップＳＴ２６が否定されると、上述したステップＳＴ２５の処理に進む。これにより、パターンを有するＡＦ補助光が被写体に向けて照射される。
【００５４】
一方、ステップＳＴ２６が肯定されると、変更指示部３９がＡＦ補助光の照射の態様を変更する指示を補助光照射部３８に対して行う（ステップＳＴ２７）。これにより、図５に示すように、パターン部材４１がＡＦ補助光の光路上から退避される。そして、ステップＳＴ２５に進み、ＣＰＵ４５からの指示により点灯制御部４３がＬＥＤ４０を点灯する。これにより、ＡＦ補助光のパターンが被写体である人物の顔に現れることがなくなる。
【００５５】
続いて、ＡＦ処理部２９がＡＦ処理を行い（ステップＳＴ２８）、さらにＣＰＵ４５がレリーズボタンが全押しされたか否かの監視を開始する（ステップＳＴ２９）。ステップＳＴ２９が肯定されると本撮影を行い（ステップＳＴ３０）、撮影により取得された画像を記録メディア３５に記録し（ステップＳＴ３１）、処理を終了する。なお、ＡＦ処理が終了するとＡＦ補助光は消灯される。
【００５６】
このように、第２の実施形態においては、他のカメラが自身から所定距離以内に存在するか否かを判定し、他のカメラが存在しかつ顔が検出された場合にＡＦ補助光の照射の態様を変更するための指示を出力するようにしたものである。このため、他のカメラが撮影により取得する画像に含まれる人物の顔に、本実施形態によるデジタルカメラ１Ａが発光したＡＦ補助光のパターンが現れてしまうことを、より確実に防止することができる。
【００５７】
なお、上記第１および第２の実施形態においては、パターン部材４１をＡＦ補助光の光路上から退避させることによりＡＦ補助光の照射の態様を変更しているが、ＡＦ補助光の色を変更することによりＡＦ補助光の照射の態様を変更するようにしてもよい。例えば、オレンジ色の光を発する第１のＬＥＤおよび白色光を発する第２のＬＥＤを設け、通常はオレンジ色の光を発する第１のＬＥＤを点灯させ、顔を検出した場合には白色光を発する第２のＬＥＤを点灯させるようにしてもよい。また、顔を検出した場合には、ＬＥＤを消灯してＡＦ補助光の使用を禁止することによりＡＦ補助光の照射の態様を変更するようにしてもよい。
【００５８】
また、上記第１および第２の実施形態においては、顔を検出した場合に、変更指示部３９からの指示により、パターン部材４１をＡＦ補助光の光路上から自動で退避させているが、顔を検出した場合には、変更指示部３９がその指示をＣＰＵ４５に対して行い、ＣＰＵ４５がモニタ２８に顔を検出した旨の警告を行うようにしてもよい。撮影者は、モニタ２８に警告がなされ場合、マニュアル操作によりＡＦ補助光の照射の態様を変更することができる。
【００５９】
また、上記第１および第２の実施形態においては、１つのパターン部材４１を用いてＡＦ補助光のパターンを被写体に照射しているが、図９に示すように１つのスリットを有する２つのパターン部材４８，４９を使用し、２つのパターン部材４８，４９をそれぞれ別個に駆動するようにして、ＡＦ補助光のパターンを被写体に照射するようにしてもよい。
【００６０】
また、上記第１および第２の実施形態においては、被写体に対してＡＦ補助光が上下方向に延在して照射されるようにパターン部材４１にスリットを形成しているが、被写体に対してＡＦ補助光が左右方向に延在して照射されるようにパターン部材４１にスリットを形成してもよい。また、スリットの形状は直線状に限定されるものではなく、任意の形状とすることができるものである。
【００６１】
以上、本発明の実施形態に係るデジタルカメラについて説明したが、コンピュータに図６，８に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６２】
【図１】本発明の第１の実施形態による撮影装置を適用したデジタルカメラの内部構成を示す概略ブロック図
【図２】補助光照射部の詳細な構成を示す図
【図３】パターン部材の構成を示す図
【図４】ＡＦ補助光が顔に照射されている状態を示す図
【図５】パターン部材が退避した状態を示す図
【図６】第１の実施形態において行われる処理を示すフローチャート
【図７】本発明の第２の実施形態による撮影装置を適用したデジタルカメラの内部構成を示す概略ブロック図
【図８】第２の実施形態において行われる処理を示すフローチャート
【図９】パターン部材の他の構成を示す図
【符号の説明】
【００６３】
１    デジタルカメラ
１０    撮像系
２９    ＡＦ処理部
３７    顔検出部
３８    補助光照射部
３９    変更指示部
４０    ＬＥＤ
４１，４８，４９    パターン部材
４２    駆動機構
５０    ＩＣタグ
５１    タグリーダ
５２    交信判定部
【図１】
2009069441.tif 000003
【図２】
2009069441.tif 000004
【図３】
2009069441.tif 000005
【図４】
2009069441.tif 000006
【図５】
2009069441.tif 000007
【図６】
2009069441.tif 000008
【図７】
2009069441.tif 000009
【図８】
2009069441.tif 000010
【図９】
2009069441.tif 000011